(57)【要約】【課題】発言者側からみて、その通信状況を容易に把握しやすいテレビ会議システムを提供する。【解決手段】ネットワーク２００を介して複数の会議拠点端末装置１０ａ〜１０ｅを相互に接続し、音声データや画像データをリアルタイムに送受信することのできるテレビ会議システムにおいて、会議拠点端末装置１０を、画像データを取得するカメラ部１１と、音声データを取得するマイク部１２と、音声データを出力するスピーカ部１４と、これらが接続される拠点処理装置２０とで構成し、拠点処理装置２０が、複数の他の会議拠点端末装置１０から取得した画像データを１つの表示画面１００上に表示し、この複数の画像データを表示する各画像領域１１０に、対応する他の会議拠点端末装置１０ｂ〜１０ｅのスピーカ部１４から出力される自分の音声データに連動したレベル値を表示するスピーカレベルインジケータ１０１ｂを表示する。【選択図】図１
2009065336.tif 000002
【特許請求の範囲】
【請求項１】
ネットワークを介して複数の会議拠点端末装置を相互に接続し、音声データや画像データをリアルタイムに送受信することのできるテレビ会議システムにおいて、
前記会議拠点端末装置は、画像データを取得するカメラ部と、音声データを取得するマイク部と、音声データを出力するスピーカ部と、これらが接続される拠点処理装置とで構成され、
前記拠点処理装置は、拠点表示装置と拠点制御装置を備え、
前記拠点制御装置は、前記複数の他の会議拠点端末装置から取得した画像データを１つの前記拠点表示装置の表示画面上に表示するとともに、この複数の画像データを表示する各画像領域に、対応する他の会議拠点端末装置のスピーカ部から出力される自分の音声データに連動したレベル値を表示するスピーカレベルインジケータを表示する
ことを特徴とするテレビ会議システム。
【請求項２】
請求項１に記載のテレビ会議システムにおいて、
前記拠点処理装置は、各種情報を表示する拠点表示装置と、各種情報を格納する拠点記憶装置と、各種の入力操作を可能とする拠点入力装置と、前記ネットワークに接続するための拠点通信装置と、この拠点処理装置を統括的に制御する拠点制御装置とを含んで構成し、
前記拠点制御装置は、
前記拠点通信装置を介して、前記マイク部から取得した音声データと、前記カメラ部から取得した画像データとを送信する機能と、
他の会議拠点端末装置のマイク部から取得される音声データと、他の会議拠点端末装置のカメラ部から入力される画像データとを取得する機能と、
各会議拠点端末装置から取得した音声データと、この拠点制御装置が前記マイク部から取得した音声データとを照合し、一致した音声データのレベル値を前記それぞれのスピーカインジケータに表示する機能とを有する
ことを特徴とするテレビ会議システム。
【請求項３】
請求項１に記載のテレビ会議システムにおいて、
前記拠点処理装置は、各種情報を表示する拠点表示装置と、各種情報を格納する拠点記憶装置と、各種の入力操作を可能とする拠点入力装置と、前記ネットワークに接続するための拠点通信装置と、この拠点処理装置を統括的に制御する拠点制御装置とを含んで構成し、
前記拠点制御装置は、
前記拠点通信装置を介して、前記マイク部から取得した音声データと、前記カメラ部から取得した画像データと、前記スピーカ部から出力される前記取得した他の音声データのそれぞれのレベル値とを送信する機能と、
前記拠点通信装置を介して、他の会議拠点端末装置から取得される画像データとレベル値とを前記拠点表示装置に表示する機能とを有する
ことを特徴とするテレビ会議システム。
【請求項４】
請求項１から請求項３の何れか１項に記載のテレビ会議システムおいて、
前記拠点制御装置は、前記各画像領域に、対応する他の会議拠点端末装置のマイク部から取得した音声データに連動したレベル値を表示するマイクレベルインジケータを前記拠点表示装置に表示する機能を有する
ことを特徴とするテレビ会議システム。
【発明の詳細な説明】
【技術分野】
【０００１】
本発明は、ネットワークを介して複数の会議拠点端末装置を相互に接続し、音声データや画像データをリアルタイムに送受信することのできるテレビ会議システムに係り、特に、各会議拠点端末装置の表示画面を複数に分割し、この分割部にネットワークに接続される拠点の画像を表示して会議を進行させる方式のテレビ会議システムに関するものである。
【背景技術】
【０００２】
従来、複数拠点間を相互に接続し、遠隔地の会議参加者で会議を行うことができるテレビ会議システムが実現されている。このようなテレビ会議システムやテレビ電話においては、各会議拠点端末装置の表示画面を複数に分割し、この分割部にネットワークに接続される拠点の画像を表示して会議を進行させる方式のものがある（例えば、特許文献１参照）。
【０００３】
会議の各参加者毎の当該会議における重み値を記憶し、前記重み値が最大の参加者をキーマンと判別し、他のテレビ会議装置から送られてくる音声データおよび画像データを受信し、受信した音声データを音声出力するとともに、受信した画像データをその画像データの発信元参加者がキーマンであるときには、キーマンの画像を表示するための画面上の固定した位置に他の参加者よりも大きめに表示することが提案されている（例えば、特許文献２参照）。
【０００４】
また、ネットワーク上の多地点接続装置を介して複数の会議拠点端末を接続する従来例にあっては、各会議拠点端末装置の表示画面に全参加者の映像と各参加者の音声のレベル値に連動するインジケータを表示するものが提案されている（例えば、特許文献３参照）。
【特許文献１】特開平０８−０３４０４９５号公報
【特許文献２】特開２００５−２４４７４４号公報
【特許文献３】特開２０００−０８３２２９号公報
【発明の開示】
【発明が解決しようとする課題】
【０００５】
前記特許文献３に記載の従来例によれば、１つの表示画面に会議参加者の画像と音声レベルが表示されるので、会議の参加者は、各参加者の音声のレベル値の大きさを見て、その時点の発言者を容易に判断することができる。
【０００６】
しかしながら、このシステムでは発言しない参加者からはだれが発言しているかを把握しやすいシステムであるが、発言を求める参加者にとっては良好なシステムとはいえない。つまり、このシステムでは、受信者側からは各参加者の発言を音声の大きさを表すインジケータで把握できるものの、発信者側からは自分の発言が相手に届いているかを把握することができない。
【０００７】
したがって、発言者側からみて、相手側の映像に変化がないと、相手が聞いているか不安になり、「聞こえている？」との同意を得ることが必要になるなどの課題がある。
【０００８】
そこで、この発明の目的とするところは、発言者側からみて、その通信状況が容易に把握しやすいテレビ会議システムを提供することにある。
【課題を解決するための手段】
【０００９】
前記目的を達成するために、本発明に係るテレビ会議システムでは、ネットワークを介して複数の会議拠点端末装置を相互に接続し、音声データや画像データをリアルタイムに送受信することのできるテレビ会議システムにおいて、前記会議拠点端末装置を、画像データを取得するカメラ部と、音声データを取得するマイク部と、音声データを出力するスピーカ部と、これらが接続される拠点処理装置とで構成し、前記拠点処理装置が、前記複数の他の会議拠点端末装置から取得した画像データを１つの表示画面上に表示し、この複数の画像データを表示する各画像領域に、対応する他の会議拠点端末装置のスピーカ部から出力される自分の音声データに連動したレベル値を表示するスピーカレベルインジケータを表示するようにする。
【発明の効果】
【００１０】
本発明によれば、表示画面上に通信相手の映像情報が表示されるとともに、この映像情報に隣接して、送信者側（発信者側）の音声データのレベル値で表示されるので、発信者の音声と相手のリアクションを画像で認識することができる。
【発明を実施するための最良の形態】
【００１１】
以下、図１と図２を参照して、この実施の形態に係るテレビ会議システムを詳細に説明する。ここで、図１は、このテレビ会議システムの概略構成図である。図２は、代表的な表示画面図である。
【００１２】
先ず、図１を参照して、この実施の形態に係るテレビ会議システムの概略構成を説明する。図１において、このテレビ会議システムは、ネットワーク２００を介して複数の会議拠点Ａ〜Ｅを相互に接続し、音声データや画像データをリアルタイムに送受信することができるシステムである。会議の参加者は、それぞれ会議拠点端末装置１０ａ〜１０ｅのいずれかを準備し、例えば、会議拠点の１つである会議拠点端末装置１０ａに接続することで、このシステムに参加することができる。この図１では、会議拠点Ａ〜Ｅにそれぞれ設置される会議拠点端末装置１０ａ〜１０ｅで開催されるテレビ会議を事例に説明している。しかし、このシステムでは、会議拠点端末装置１０の台数に限定されるものではない。また、以後の説明では、会議拠点端末装置１０ｂを中心とした動作や表示画面を中心に説明する。
【００１３】
このテレビ会議システムでは、このシステムに参加する会議拠点端末装置１０の１台である会議拠点端末装置１０ａが会議マネージャーとなって、複数の会議拠点端末装置１０ｂ〜１０ｅを接続する多地点接続装置の役割となる。この実施の形態では、会議マネージャーを会議拠点端末装置１０ａで説明しているが、ネットワーク２００上に参加する他の会議拠点端末装置１０ｂ〜１０ｅに同様な役割を持たせても良い。
【００１４】
また、この実施の形態では、このシステムに参加する会議拠点端末装置１０の１台である１０ｂが会議マスタ（主催者）となって、前記会議マネージャー（会議拠点端末装置１０ａ）に接続し、会議のスケジュールや会議に参加する会議拠点を前記会議マネージャー（会議拠点端末装置１０ａ）に登録することができる。したがって、他の会議拠点端末装置１０ｃ〜１０ｅは、前記会議マネージャー（会議拠点端末装置１０ａ）に接続することで、参加する複数の会議拠点が相互にリアルタイムで接続されたテレビ会議を行うことができる。
【００１５】
前記会議拠点端末装置１０は、画像データを取得するカメラ部１１と、音声データを取得するマイク部１２と、拠点処理装置２０と、これらをネットワーク２００に接続するためのスイッチングハブ１３を備えている。ここで、カメラ部１１とマイク部１２と拠点処理装置２０とは物理的に同一の会議室内にあり、カメラ部１１とマイク部１２と拠点処理装置２０とは１つのスイッチングハブ１３に接続されている。
【００１６】
前記拠点処理装置２０は、各種情報を表示する拠点表示装置２１と、各種情報を格納する拠点記憶装置２２と、各種の入力操作を可能とする拠点入力装置２３と、前記ネットワーク２００に接続するための拠点通信装置２４と、この拠点処理装置２０を統括的に制御する拠点制御装置２５とを含んで構成される極一般的なパーソナルコンピュータで構成することできる。そして、この拠点処理装置２０には音声データを出力するためのスピーカ部１４が接続されている。
【００１７】
また、前記拠点記憶装置２２には、会議マネージャー２２ａとＰＣ（処理装置）制御ソフトウェア２２ｂとグラフィックソフトウェア２２ｃとＷｅｂサーバ２２ｄなどの各種のプログラムソフトが格納され、前記拠点制御装置２５が、これらプログラムソフトを起動することで会議拠点端末装置１０として稼動することができる。
【００１８】
ここで、会議マネージャー２２ａは、会議拠点にて会議マネージャー機能を有効にした場合にＰＣ制御ソフトウェア２２ｂと独立して動作し、プレゼン情報とグルーピング情報を管理する。ＰＣ制御ソフトウェア２２ｂは、マイク部１２とカメラ部１１の制御及び会議拠点間の通信を行う。
【００１９】
そして、この実施の形態に係るテレビ会議システムの大きな特徴の１つは、前記拠点処理装置２０は、前記複数の他の会議拠点端末装置１０から取得した画像データを１つの拠点表示装置２１の表示画面１００上に表示し、この複数の画像データを表示する各画像領域１１０に、対応する他の会議拠点端末装置１０ｃ〜１０ｅのスピーカ部１４から出力される自分の音声データに連動したレベル値を表示するスピーカレベルインジケータ１０１ｂ〜１０１ｅを表示した点にある。前述した前記拠点処理装置２０はパーソナルコンピュータ（ＰＣ）等の端末装置であってもよく、その場合、拠点制御装置２５はＰＣの中央制御装置であり、拠点表示装置２１はＰＣのディスプレイ装置となる。
【００２０】
即ち、この実施の形態では、拠点制御装置２５は、前記拠点通信装置２４を介して、前記マイク部１２から取得した音声データと、前記カメラ部１１から取得した画像データとを他の会議拠点端末装置１０に送信し、同様に、他の会議拠点端末装置１０からそれぞれの音声データと画像データを受信して、それぞれの音声データと画像データを複数の画像領域１１０に分割された表示画面１００の各画像領域１１０に表示するとともに、各音声データをミキシング（合成）して前記スピーカ部１４から出力することにより、各拠点の映像と音声を提供することができる。
【００２１】
これに加えて、この実施の形態の大きな特徴とするところは、他の各会議拠点端末装置１０ｃ〜１０ｅから取得した音声データと、この会議拠点端末装置１０ｂの前記マイク部１２から取得した音声データとを照合し、一致した音声データのレベル値を前記それぞれのスピーカレベルインジケータ１０１に表示する点にある。
【００２２】
この実施の形態によれば、この会議拠点端末装置１０ｂの参加者は、表示画面１００を介して、通信先である各拠点の映像と、通信先のスピーカ部１４から出力される自分（送信元）の音声の出力レベルを同時に把握することができる。これにより、発信者の音声と相手のリアクションを画像で認識することができる。
【００２３】
さらにまた、この実施の形態の大きな特徴の１つは、前記各画像領域１１０に、自己の会議拠点端末装置１０ｂから取得した音声データのレベル値を表示するマイクレベルインジケータ１０２ｂを前記スピーカレベルインジケータ１０１ｂと、各会議拠点端末装置１０ｃ〜１０ｅから取得した音声データのレベル値を表示するマイクレベルインジケータ１０２ｃ〜１０２ｅを前記スピーカレベルインジケータ１０１ｃ〜１０１ｅと、それぞれ対で表示させた点にある。この実施の形態によれば、自分の音声のレベル値と、これを聞いている他の拠点の音声のレベル値を視覚的に把握することができる。
【００２４】
次に、図２を参照して、この実施の形態に係るテレビ会議システムの表示画面１００の例を、さらに説明する。図２において、前記表示画面１００は、最上部に帯状に配置されるタイトルバー１２０と、その下部に配置される画像領域１１０と、その下部に配置される操作領域１３０と、最下部に配置される動作インジケータを備えた動作状態表示部１５０とから構成される。
【００２５】
前記タイトルバー１２０は、このテレビ会議システムのシステム名称が表示されるとともに、右端には縮小化ボタンと最大化ボタンと取り消しボタンが配置される。
【００２６】
前記画像領域１１０は、他の会議拠点端末装置１０に対応して複数の画像領域１１０ｂ〜１１０ｅに分割されて構成される。この実施の形態では、前記画像領域１１０を左側の画像領域（１１０ｂ）が大きくなるように左右に２分割し、右側の画像領域をさらに上下に３分割（画像領域１１０ｃ〜１１０ｅ）している。これにより、会議に参加する４つの会議拠点Ｂ〜Ｅを同時に表示することができる。そして、右側の大きな画像領域１１０ｂにメインの会議拠点端末装置１０からの画像データを表示して、左側の小さな画像領域１１０ｃ〜１１０ｅには他の会議拠点端末装置１０ｃ〜１０ｅの画像データを表示することができる。
【００２７】
これらの画像領域１１０の分割される領域の数とレイアウトは、前記操作領域１３０での操作で変更することができる。また、この実施例では、自分の会議拠点を画像領域１１０ｂの１つに割り当てて表示しているが、これを割り当てないようにすることもできる。さらに、詳細な機構は省略するが、各拠点から送信される音声データの音量に基づくなどの既存の技術を用いて発言している会議拠点の画像領域を大きな画像領域１１０ｂに自動的に変更することができる。さらにまた、分割された画像領域の１つに資料を表示するデータ表示領域として割り当てることもできる。
【００２８】
また、前記したように、各分割される画像領域１１０ｂ〜１１０ｅには、それぞれの画像領域１１０に割り当てられた会議拠点端末装置１０から取得した音声のレベル値を表示するスピーカレベルインジケータ１０１ｂ〜１０１ｅと、各会議拠点端末装置１０のマイク部１２から取得される音声データのレベル値を表示するマイクレベルインジケータ１０２ｂ〜１０２ｅが表示される。
【００２９】
前記操作領域１３０は、この拠点処理装置２０の各種操作を入力するための選択ボタンや各種ガイダンスなどが配置される。例えば、この実施の形態では、操作領域１３０の最上部に機能切替ボタン１３１が左右に並べて配置される。この機能切替ボタン１３１は、左側から、音声の設定を行う「音声ボタン」、マイクの設定を行う「マイクボタン」、カメラの設定を行う「カメラボタン」、表示画面１００の画面レイアウトを設定する「画面配置ボタン」、前記画像領域１１０の１つに表示する資料のファイルを選択する「ファイル共有ボタン」、システムのＯＦＦを行う「切断ボタン」、会議マネージャーとなる会議拠点端末装置１０を設定する「会議マスタボタン」が配置される。これらの機能切替ボタン１３１は、拠点入力装置２３の１つを構成するリモコンの操作で選択することができるし、図示しないマウスやキーボードのカーソルキーの操作で選択することができる。
【００３０】
前記機能切替ボタン１３１の下方には、この機能切替ボタン１３１の選択により、その表示内容を切り替える操作キー表示領域１３２が設けられる。図２の表示例は、「音量ボタン」が選択された状態の操作キー表示領域１３２を示している。例えば、この「音量ボタン」の操作キー表示領域１３２は、右側にリモコンの操作方法のガイダンスが表示され、左側には、自分のスピーカ部１４から出力される音量を調整する「音声＋ボタン」と「音量−ボタン」と「ミュートボタン」と「スピーカレベルインジケータ」が表示される。
【００３１】
他の機能切替ボタン１３１の操作キー表示領域１３２の詳細な説明は省略するが、これら各操作キー表示領域１３２には、当該機能に対応した操作ボタンやガイダンスが表示される。そして、この操作領域１３０は、リモコンを介して、画面から消去したり、あるいは出現させたりすることができる。さらに、操作領域１３０を画面から消去する場合、表示画面１００の最下部に前記機能切替ボタン１３１のみを表示して、これら機能切替ボタン１３１の選択操作に基づいて操作領域１３０全体を出現させるようにしても良い。
【００３２】
次に、図１と図２を参照して、このテレビ会議システムの動作を説明する。先ず、会議マスタとなる参加者は、会議拠点端末装置１０ｂを起動させて表示画面１００の操作キー表示領域１３２の操作で会議マネージャーとなる会議拠点端末装置１０ａに接続し、会議参加者（会議拠点）やスケジュールを登録する。そして、他の会議参加者は、このスケジュールに沿って、前記会議拠点端末装置１０ａにアクセスすることで、会議マスタが主催するテレビ会議に参加することができる。
【００３３】
各会議拠点端末装置１０ｂ〜１０ｅの拠点制御装置２５は、前記接続が完了すると、カメラ部１１で撮影したそれぞれの会議拠点の画像データを、前記会議拠点Ａ（会議拠点端末装置１０ａ）を介して他の会議拠点に送信する。一方、各会議拠点の画像データを受信したそれぞれの拠点制御装置２５は、この複数の画像データを合成し、それぞれの設定にあった表示画面１００を生成し、当該表示画面１００をそれぞれの拠点表示装置２１に表示する。
【００３４】
また、各会議拠点端末装置１０ｂ〜１０ｅの拠点制御装置２５は、マイク部１２から取得したそれぞれの会議拠点の音声に対してＡ／Ｄ変換等の所定の処理を施し、音声データとして前記会議拠点Ａの会議拠点端末装置１０ａを介して他の会議拠点Ｂ〜Ｅの会議拠点端末装置１０ｂ〜１０ｅに送信するとともに、この音声データを一時的に保存する。一方、各会議拠点の音声データを受信したそれぞれの拠点制御装置２５は、音声データのミキシング（合成）を行って、その音声データをスピーカ部１４から出力するとともに、その音声の強さ（大きさ）を示すレベル値（デジタル値）を生成し、当該レベル値を前記表示画面の各会議拠点のマイクレベルインジケータ１０２に表示させる。
【００３５】
また、それぞれの拠点制御装置２５は、ミキシング（合成）前の各会議拠点の音声データと前記一時的に保存した自分の音声データとを照合し、一致する音声データを抽出して、その一致する音声の強さ（大きさ）を示すレベル値（デジタル値）を生成し、当該レベル値を前記表示画面１００の各会議拠点のスピーカレベルインジケータ１０１に表示させる。
【００３６】
この実施の形態によれば、各会議拠点の参加者は、各会議拠点の映像情報と、ミキシングされた音声をそれぞれの会議拠点端末装置１０を介して取得することができるので、会議全体の雰囲気を各会議拠点の映像と合成された音声で把握することができる。そして、前記表示画面１００の各画像領域１１０には、自分の音声と会議全体の音声がそれぞれレベルインジケータで視覚的に表示される。特に、この実施の形態では、各会議拠点での自分の音量を視覚的に認識することができる。したがって、発言者は、各会議拠点における自分の音量を把握し、そのリアクションを映像と会議全体の音声で把握することができる。
【００３７】
（他の応用例）前記実施の形態では、各会議拠点における自分の音量レベルを計測するにあたり、自分から送信する音声データと、各会議拠点のマイク部１２で取得される音声データとを比較して、相手のスピーカ部１４から出力される自分の音量レベルを把握する実施の形態で説明した。しかし、この発明では、前記実施の形態に限定されるものではない。
【００３８】
例えば、各会議拠点のスピーカ部１４から出力される自分の送信した音声データのレベル値を各会議拠点から取得して、当該レベル値を対応する会議拠点のスピーカレベルインジケータ１０１に表示するようにしても良い。
【００３９】
具体的には、各会議拠点端末装置１０の拠点制御装置２５は、各会議拠点から受信した音声データをミキシング（合成）する前に音声のレベル値に変換し、当該変換したレベル値を送信元の会議拠点端末装置１０に返信する。そして、このレベル値を前記各画像領域１１０のスピーカレベルインジケータ１０１に反映させるようにする。この実施の形態では、相手先のマイク部１２で取得される音声データと自分の音声データを比較する照合処理を行う必要がない。
【００４０】
また、前記実施の形態では、音声データのレベル値の検出や合成、あるいは表示画面１００の生成を各会議拠点端末装置１０ｂ〜１０ｅの拠点制御装置２５が行うことで説明したが、これに限定されるものではない。例えば、会議マネージャーの役割を果たす会議拠点端末装置１０ａが、音声データのレベル値の検出や合成、あるいは表示画面１００の生成を行い、これらの画像情報や音声情報を他の会議拠点端末装置１０ｂ〜１０ｅに提供するようにしてもよい。
【００４１】
以上のように、本発明の実施の形態は、ネットワーク２００を介して複数の会議拠点端末装置１０ａ〜１０ｅを相互に接続し、音声データや画像データをリアルタイムに送受信することのできるテレビ会議システムにおいて、前記会議拠点端末装置１０ｂ〜１０ｅは、画像データを取得するカメラ部１１と、音声データを取得するマイク部１２と、音声データを出力するスピーカ部１４と、これらが接続される拠点処理装置２０とで構成され、前記拠点処理装置２０は、拠点表示装置２１と拠点制御装置２５を備え、前記拠点制御装置２５は前記複数の他の会議拠点端末装置１０ｂ〜１０ｅから取得した画像データを１つの前記拠点表示装置２１の表示画面１００上に表示するとともに、この複数の画像データを表示する各画像領域１１０ｂ〜１１０ｅに、対応する他の会議拠点端末装置１０ｃ〜１０ｅのスピーカ部１４から出力される自分の音声データに連動したレベル値を表示するスピーカレベルインジケータ１０１ｂを表示するように構成される。
【００４２】
また、本発明の他の実施の形態は、上記テレビ会議システムにおいて、前記拠点処理装置２０は、各種情報を表示する拠点表示装置２１と、各種情報を格納する拠点記憶装置２２と、各種の入力操作を可能とする拠点入力装置２３と、前記ネットワークに接続するための拠点通信装置２４と、この拠点処理装置を統括的に制御する拠点制御装置２５とを含んで構成し、前記拠点制御装置２５は、前記拠点通信装置２４を介して、前記マイク部１２から取得した音声データと、前記カメラ部１１から取得した画像データとを送信する機能と、他の会議拠点端末装置１０ｃ〜１０ｅのマイク部１２から取得される音声データと、他の会議拠点端末装置１０ｃ〜１０ｅのカメラ部１１から入力される画像データとを取得する機能と、各会議拠点端末装置１０ｃ〜１０ｅから取得した音声データと、この拠点制御装置２５が前記マイク部１２から取得した音声データとを照合し、一致した音声データのレベル値を前記それぞれのスピーカインジケータ１０１ｂに表示する機能とを有して構成される。
【００４３】
本発明のさらに他の実施の形態は、上記テレビ会議システムにおいて、前記拠点処理装置２０は、各種情報を表示する拠点表示装置２１と、各種情報を格納する拠点記憶装置２２と、各種の入力操作を可能とする拠点入力装置２３と、前記ネットワークに接続するための拠点通信装置２４と、この拠点処理装置を統括的に制御する拠点制御装置２５とを含んで構成し、前記拠点制御装置２５は、前記拠点通信装置２４を介して、前記マイク部１２から取得した音声データと、前記カメラ部１１から取得した画像データと、前記スピーカ部１４から出力される前記取得した他の音声データのそれぞれのレベル値とを送信する機能と、前記拠点通信装置２４を介して、他の会議拠点端末装置１０ｃ〜１０ｅから取得される画像データとレベル値とを前記拠点表示装置２１に表示する機能とを有して構成される。
【００４４】
加えて、本発明の他の実施の形態は、上記各テレビ会議システムにおいて、前記拠点制御装置２５は、前記各画像領域１１０に、対応する他の会議拠点端末装置１０ｃ〜１０ｅのマイク部１２から取得した音声データに連動したレベル値を表示するマイクレベルインジケータ１０１ｃ〜１０１ｅを表示する機能を有して構成される。
【図面の簡単な説明】
【００４５】
【図１】本発明にかかるテレビ会議システムの概略構成図である。
【図２】本発明にかかるテレビ会議システムにおける代表的な表示画面図である。
【符号の説明】
【００４６】
１０ａ〜１０ｅ…会議拠点端末装置、１１…カメラ部、１２…マイク部、１３…スイッチングハブ、１４…スピーカ部、２０…拠点処理装置、２２ａ…会議マネージャー、２２ｂ…ＰＣ（処理装置）制御ソフトウェア、２２ｃ…グラフィックソフトウェア、２２ｄ…Ｗｅｂサーバ、２１…拠点表示装置、２２…拠点記憶装置、２３…拠点入力装置、２４…拠点通信装置、２５…拠点制御装置、１００…表示画面、１０１ｂ〜１０１ｅ…スピーカレベルインジケータ、１０２ｂ〜１０２ｅ…マイクレベルインジケータ、１１０ｂ〜１１０ｅ…画像領域、１２０…タイトルバー、１３０…操作領域、１３１…機能切替ボタン、１３２…操作キー表示領域、１５０…動作状態表示部、２００…ネットワーク。
【図１】
2009065336.tif 000003
【図２】
2009065336.tif 000004